(57)【特許請求の範囲】
【請求項１】
被取付け側板に棚板を支持する棚板支持体を備え、
前記棚板支持体は、
前記棚板を支持する支持部と、この支持部の端部に形成され前記棚板の端部に嵌合する嵌合部と、前記支持部の下部に形成され前記側板に取り付けられる支持ピンを一側端部に突設した取付部とを有し、
前記側板と前記棚板の側部との間に挿入される挿入部を有する抜止め体を前記棚板支持体に着脱可能に止着する
ことを特徴とする棚板支持装置。
【請求項２】
抜止め体は、折り曲げ可能な連結部にて棚板支持体に連結されている
ことを特徴とする請求項１記載の棚板支持装置。
【請求項３】
挿入部は、挿入先端部が薄く形成されている
ことを特徴とする請求項１または２記載の棚板支持装置。
【請求項４】
挿入部は、挿入先端部と反対側部位置に側板と棚板の側部との間に圧着される突部を有する
ことを特徴とする請求項１乃至３のいずれかに記載の棚板支持装置。
【請求項５】
棚板支持体と抜止め体との一方に係合突部が形成され、他方に前記係合突部を着脱可能に係止する係止孔が形成されている
ことを特徴とする請求項１乃至４のいずれかに記載の棚板支持装置。
【発明の詳細な説明】
【０００１】
【発明の属する技術分野】
本発明は棚板支持装置に係り、たとえば、各種の家具や事務用キャビネット等において、その相対する左右の側板間に棚板を支持するものに関する。
【０００２】
【従来の技術】
従来、この種の棚板支持装置としては、たとえば、図１６に示すように、家具の側板40に棚板41を支持する棚板支持体42は、前記棚板41を支持する支持部43と、この支持部43の前端部に形成され前記棚板41の前端部を嵌合する嵌合部44と、前記支持部43の下部に形成された取付部45と、この取付部45の一側端部に回動可能に突設され前記側板40の支持孔に挿入して取り付けられる支持ピン46とを有した構成が採られている。
【０００３】
そして、前記図１６に示す従来の棚板支持装置は、側板40の支持孔に支持ピン46を挿入して取り付け、この支持ピン46を中心に棚板支持体42を図１６の実線に示す水平状態から２点鎖線に示すように前側下方に向かって回動傾斜させた状態で、この棚板支持体42の嵌合部44内に棚板41の前端部を斜め上方から嵌合し、この棚板41を、支持ピン46を中心に回動して図１６の実線に示すように棚板41を側板40に水平状に支持させるようにしている。
【０００４】
【発明が解決しようとする課題】
しかしながら、前記図１６に示す従来の棚板支持装置では、側板40に取り付けた支持ピン46を中心に棚板支持体42の嵌合部44内に前端部を嵌合した棚板41を回動してこの棚板41を側板40に支持させるため、この棚板41の側部と側板40の内面部との間には棚板41を回動させる隙間を必要とし、側板40に棚板41を支持させた状態では、棚板41の側部と側板40の内面部との間には棚板41を回動させた隙間が生じる。
【０００５】
そこで、側板40に棚板41を支持させた状態で、家具の輸送時等に家具が振動・衝撃等を受けると、その振動・衝撃等で家具を正面からみて棚板41が隙間により左右方向に移動してこの棚板41の側部が側板40の内面部に衝突し、この棚板41の側部が側板40の内面部に衝突するときの衝撃で棚板41の側部または側板40の内面部に傷が付き易い問題がある。
【０００６】
また、側板40の支持孔に支持ピン46を挿入して取り付け、この支持ピン46を中心に棚板支持体42の嵌合部44内に前端部を嵌合した棚板41を回動してこの棚板41を側板40に支持させるため、この棚板41の支持に手数を要する、という問題がある。
【０００７】
本発明は、このような点に鑑みてなされたもので、側板に棚板を簡単にかつ確実に支持させることができ、家具の輸送時等に家具が受ける振動・衝撃等で、棚板の側部が側板の内面部に衝突することがなく、棚板の側部または側板の内面部に傷が付くことを防止できる棚板支持装置を提供することを目的とするものである。
【０００８】
【課題を解決するための手段】
請求項１記載の棚板支持装置は、被取付け側板に棚板を支持する棚板支持体を備え、前記棚板支持体は、前記棚板を支持する支持部と、この支持部の端部に形成され前記棚板の端部に嵌合する嵌合部と、前記支持部の下部に形成され前記側板に取り付けられる支持ピンを一側端部に突設した取付部とを有し、前記側板と前記棚板の側部との間に挿入される挿入部を有する抜止め体を前記棚板支持体に着脱可能に止着するものである。
【０００９】
そして、棚板の端部に棚板支持体の嵌合部を嵌合することにより、この棚板の端部の下側に棚板支持体の支持部が当接される。
【００１０】
また、家具等の被取付け側板に棚板の側部を対向させた状態で、棚板の端部に嵌合部を嵌合した棚板支持体を側板に向かって移動させて、この棚板支持体の支持ピンを側板に取付けることにより、この支持ピンにて棚板支持体が側板に支持されるとともに、この棚板支持体の支持部にて端部を支持した棚板が側板に支持される。
【００１１】
この際、棚板支持体の嵌合部に棚板の端部が嵌合されていることにより、この棚板支持体の嵌合部にてこの棚板支持体の支持部から棚板の端部が持ち上がることなく支持される。
【００１２】
ついで、側板の内面部と棚板の側部との間に抜止め体の挿入部を挿入するとともに、この抜止め体を棚板支持体に止着することにより、この抜止め体の挿入部が側板の内面部と棚板の側部との間に挿入された状態に保持され、この抜止め体の挿入部にて棚板が側方に移動することなく支持される。
【００１３】
また、抜止め体の挿入部にて棚板が側方に移動することなく支持されることにより、この挿入部を設けた抜止め体にて棚板支持体が移動することなく支持される。
【００１４】
そして、側板の内面部と棚板の側部との間に抜止め体の挿入部を挿入するとき、棚板支持体の嵌合部に棚板の端部が嵌合されていることにより、側板の内面部と棚板の側部との間に抜止め体の挿入部を確実に挿入できる。
【００１５】
したがって、側板に棚板を簡単にかつ確実に支持させることができ、家具の輸送中の振動・衝撃等で、側板から棚板が落下したり、棚板の側部が側板の内面部に衝突することがなく、棚板の側部または側板の内面部に傷が付くことを確実に防止できる。
【００１６】
また、棚板支持体から抜止め体を外すことにより、側板の内面部と棚板の側部との間から挿入部を簡単に引き抜くことができる。
【００１７】
請求項２記載の棚板支持装置は、請求項１記載の棚板支持装置において、抜止め体は、折り曲げ可能な連結部にて棚板支持体に連結されているものである。
【００１８】
そして、抜止め体を折り曲げ可能な連結部から棚板支持体に向かって折り曲げることにより、この抜止め体の挿入部を側板と棚板の側部との間に挿入できるとともに、この抜止め体を棚板支持体に止着できる。
【００１９】
また、折り曲げ可能な連結部にて棚板支持体に抜止め体を連結したことにより、抜止め体が紛失することを防止でき、管理が容易である。
【００２０】
請求項３記載の棚板支持装置は、請求項１または２記載の棚板支持装置において、挿入部は、挿入先端部が薄く形成されているものである。
【００２１】
そして、側板と棚板の側部との間に挿入部を挿入先端部の薄い部分から容易に挿入できる。
【００２２】
請求項４記載の棚板支持装置は、請求項１乃至３のいずれかに記載の棚板支持装置において、挿入部は、挿入先端部と反対側部位置に側板と棚板の側部との間に圧着される突部を有するものである。
【００２３】
そして、側板と棚板の側部との間に挿入部を挿入することにより、この挿入部の突部が側板と棚板の側部との間に圧着した状態に挿入され、この挿入部にて棚板が側方に移動することなく更に確実に支持される。
【００２４】
請求項５記載の棚板支持装置は、請求項１乃至４のいずれかに記載の棚板支持装置において、棚板支持体と抜止め体との一方に係合突部が形成され、他方に前記係合突部を着脱可能に係止する係止孔が形成されているものである。
【００２５】
そして、一方の係合突部を他方の係止孔に係止することにより、棚板支持体に抜止め体が止着され、この抜止め体の挿入部が側板と棚板の側端部との間に挿入した状態に確実に保持される。
【００２６】
【発明の実施の形態】
以下、本発明の一実施の形態を家具の棚板支持装置について添付図面を参照して説明する。
【００２７】
図１において、１は棚板支持装置で、この棚板支持装置１は、側板２に棚板３を支持する棚板支持体４を備え、この棚板支持体４は、前記棚板３を支持する支持部５と、この支持部５の端部に形成され前記棚板３の端部６に嵌合する嵌合部７と、前記支持部５の下部に形成され前記側板２に取り付けられる支持ピン８を一側端部に突設した取付部９とを有し、前記側板２と前記棚板３の側部10との間に挿入される挿入部11を有する抜止め体12を前記棚板支持体４の下側に着脱可能に止着するようになっている。
【００２８】
そして、前記棚板支持体４の支持部５は、図１乃至図３に示すように、家具を正面からみて前後方向を長手方向とした支持板13にて形成され、この支持板13の上面に水平状の支持面14が形成されている。
【００２９】
また、前記棚板支持体４の嵌合部７は、図１乃至図４に示すように、前記支持部５の端部、例えば、前記支持板13の前端部に形成されている。この嵌合部７は、例えば、前記支持板13に形成した支持面14の前端側と、この支持板13の一方端部から上方に向かって垂直状に一体に突出された端面支持板15と、この端面支持板15の上端部から支持面14の他方端部に向かって前記支持面14と略平行に突出された上面支持板16とにて側面及び支持面14側を開口した側面視コ字形状に形成されている。
【００３０】
そして、前記嵌合部７の端面支持板15の内面部が前記棚板３の端部６に当接されるとともに、前記嵌合部７の上面支持板16の下面が前記棚板３の端部６の上面に当接されるようになっている。なお、前記嵌合部７の端面支持板15は、前記棚板３の端部６で押動されても折り曲がらない強度で形成されている。
【００３１】
また、前記棚板支持体４の取付部９は、図１乃至図３に示すように、前記支持部５の下部で、例えば、前記支持板13の前端側に形成されている。この取付部９は、前記支持板13の下部に下方に向かって突出して形成され、図６に示すように、その中心部に左右方向に貫通したピン挿入孔17が形成され、このピン挿入孔17内に前記支持ピン８が挿脱可能に挿着されている。
【００３２】
前記支持ピン８は、図６に示すように、前記ピン挿入孔17内に挿脱可能に挿着した挿着部18と、前記ピン挿入孔17の開口縁部に当接するフランジ19とを有している。そして、支持ピン８は、前記挿着部18が前記ピン挿入孔17内に挿着されるとともに、前記フランジ19が前記ピン挿入孔17の開口縁部に当接された状態で、前記取付部９から直交する側方に向かって突設されている。なお、この支持ピン８は金属にて形成されている。
【００３３】
また、図２及び図４に示すように、前記支持板13の例えば前端側下部に、前記端面支持板15と前記取付部９とに連続しこの支持板13の一方端側、端面支持板15及び取付部９を補強する補強リブ20が一体に形成されている。
【００３４】
つぎに、前記抜止め体12は、図２に示すように、折り曲げ可能な連結部21にて前記棚板支持体４の例えば後端部に連結されている。前記抜止め体12は、前後方向を長手方向とし前記連結部21を折り曲げることにより前記棚板支持体４の下側である前記支持板13の前後方向他方端側の下側に当接される当接板22を有し、この当接板22の上部に前記連結部21を折り曲げ操作する操作部23が一体に突設され、この操作部23は側面視略Ｌ字形状に形成されている。
【００３５】
また、前記連結部21は、前記支持板13の例えば後端部と前記当接板22の前端部とを一連に連結した連結片24にて形成され、この連結片24は前記支持板13と前記当接板22との板厚より薄い板厚で折り曲げ可能に形成されている。
【００３６】
また、前記挿入部11は、図２に示すように、略半円状に形成した挿入板25にて形成され、この挿入板25は前記当接板22の左右方向の一側端部から下方に向かって一体に突設されている。
【００３７】
また、前記挿入部11は、図３及び図５に示すように、前記側板２と前記棚板３の側部10との間に挿入するときの挿入先端部となる下部が薄く形成されている。また、前記挿入部11には、図３及び図５に示すように、前記側板２と前記棚板３の側部10との間に挿入するときの挿入先端部と反対側部位置に突部26が形成されている。
【００３８】
前記突部26は、前記当接板22の左右方向の他側端側に向かって円弧状に膨出して形成され、前記側板２の内面部と棚板３の側部10との間に圧着挿入されるようになっている。
【００３９】
さらに、図２、図３及び図５に示すように、前記棚板支持体４の前記支持板13の例えば後端側に係合突部27が形成され、前記抜止め体12の当接板22の前後方向略中間部に前記係合突部27を着脱可能に止着する係止孔28が形成されている。
【００４０】
前記係合突部27は、前記係止孔28内に挿入するとき弾性により縮径し、前記係止孔28内に挿入したとき拡開してこの係止孔28の開口縁部に係止される複数の弾性係合突片29を環状に配置した圧入ボス30にて形成されている。また、前記係止孔28は円形に形成されている。
【００４１】
そして、前記棚板支持体４と、前記抜止め体12と、前記棚板支持体４と抜止め体12とを折り曲げ可能に連結した連結部21とにより棚板支持具Ａが構成され、この棚板支持具Ａは合成樹脂にて一体に成型されている。
【００４２】
また、前記棚板支持具Ａは、家具を正面からみて前記棚板３の右側の前端部６と右側の後端部６とにそれぞれ棚板支持体４の嵌合部７を嵌合する右側棚板支持具A1（図７及び図１０）と、家具を正面からみて前記棚板３の左側の前端部６と左側の後端部６とにそれぞれ棚板支持体４の嵌合部７を嵌合する左側棚板支持具A2（図８及び図１０）とを備えている。
【００４３】
前記右側棚板支持具A1と左側棚板支持具A2とは同一の構成で形成されているが、前記棚板３の右側前後の端部６に嵌合する前記右側棚板支持具A1は、前記棚板支持体４の支持ピン８及び前記抜止め体12の挿入部11が家具を正面からみて棚板支持体４の右側端にそれぞれ配設した構成となっている。また、前記棚板３の左側前後の端部６に嵌合する前記左側棚板支持具A2は、前記棚板支持体４の支持ピン８及び前記抜止め体12の挿入部11が家具を正面からみて棚板支持体４の左側端にそれぞれ配設した構成となっている。
【００４４】
つぎに、31は家具で、この家具31は、図９に示すように、正面からみて左右に相対して配置された前記側板２と、この左右の側板２の後部に固定された背板32と、前記左右の側板２の上端部に固定された天板33と、前記左右の側板２の下端部に固定された底板（図示せず）と、前記左右の側板２に支持する前記棚板３と、前記左右の側板２の前端部にそれぞれ開閉可能に取り付けられた扉体35とにて構成されている。
【００４５】
そして、前記左右の側板２の前端側及び後端側には、図１に示すように、前記棚板３を支持する前記棚板支持具Ａの支持ピン８を挿入して取り付けるピン挿入孔34がそれぞれ形成されている。これらピン挿入孔34は、左右の側板２の前端側及び後端側に同一平面にそれぞれ形成されている。
【００４６】
また、前記棚板３は、木板またはガラス板などで形成されている。
【００４７】
つぎに、前記実施の形態の作用を説明する。
【００４８】
図１０の２点鎖線に示すように、家具31を正面からみて、棚板３の前端部６の右側に右側棚板支持具A1の棚板支持体４の嵌合部７を嵌合することにより、この棚板３の前端部６の下側に棚板支持体４の支持部５が当接される。また、棚板３の後端部６の右側に右側棚板支持具A1の棚板支持体４の嵌合部７を嵌合することにより、この棚板３の後端部６の下側に棚板支持体４の支持部５が当接される。
【００４９】
そして、棚板３の右側前後の端部６に嵌合部７を嵌合した棚板支持体４の取付部９の一側端部に突設した支持ピン８をそれぞれ棚板３の右側の側部10より後退させておく。
【００５０】
また、図１０の２点鎖線に示すように、家具31を正面からみて、棚板３の前端部６の左側に左側棚板支持具A2の棚板支持体４の嵌合部７を嵌合することにより、この棚板３の前端部６の下側に棚板支持体４の支持部５が当接される。また、棚板３の後端部６の左側に左側棚板支持具A2の棚板支持体４の嵌合部７を嵌合することにより、この棚板３の後端部６の下側に棚板支持体４の支持部５が当接される。
【００５１】
そして、棚板３の左側前後の端部６に嵌合部７を嵌合した棚板支持体４の取付部９の一側端部に突設した支持ピン８をそれぞれ棚板３の左側の側部10より後退させておく。
【００５２】
また、棚板３の左右前後の端部６に棚板支持体４の嵌合部７をそれぞれ嵌合してこの前後左右の端部６の下側に棚板支持体４の支持部５が当接されると、図１１に示すように、この棚板３の左右前後の端部６下側にて抜止め体12の操作部23がそれぞれ押動され、これら抜止め体12を連結した連結部21がそれぞれ折り曲げられ、これら抜止め体12がそれぞれ下向きに傾斜される。
【００５３】
ついで、左右の側板２の間に棚板３の両側部10を対向させた状態で、この棚板３の左右前後の端部６に棚板支持体４の嵌合部７をそれぞれ嵌合した棚板支持体４を左右の側板２の内面部に向かってそれぞれ移動させると、図１０の実線に示すように、これら棚板支持体４の支持ピン８がそれぞれ棚板３の左右の側部10から突出されるとともに、これら支持ピン８が図１３に示すように、左右の側板２のピン挿入孔34内にそれぞれ挿入されて取り付けられる。
【００５４】
そして、これら支持ピン８にて棚板支持体４が左右の側板２にそれぞれ支持されるとともに、棚板３の左右前後の端部６を支持した棚板支持体４が左右の側板２に支持される。
【００５５】
この際、左右前後の棚板支持体４の嵌合部７に棚板３の左右前後の端部６がそれぞれ嵌合されていることにより、これら棚板支持体４の嵌合部７にて棚板３が前後方向に移動することなく支持される。
【００５６】
そして、左右前後の棚板支持体４の支持ピン８をそれぞれ取り付けた左右の側板２のピン挿入孔34が、左右の側板２の前端側及び後端側に同一高さ位置にそれぞれ形成されていることにより、左右前後の棚板支持体４にて左右の側板２に棚板３が水平状に支持される。
【００５７】
ついで、図１１に示す状態から、左右前後の棚板支持体４に連結された連結部21から抜止め体12をそれぞれの棚板支持体４の下側に向かって折り曲げるとともに、これら抜止め体12の挿入部11を、図１３に示すように、左右の側板２と棚板３の両側部10との間にそれぞれ挿入することにより、図１０及び図１２に示すように、左右前後の抜止め体12の当接板22が棚板支持体４の支持部５の下側にそれぞれの係合突部27と係止孔28との係合により止着される。
【００５８】
そして、左右の側板２と棚板３の両側部10との間に抜止め体12の挿入部11をそれぞれ挿入するとき、これら挿入部11は上部が薄く形成されていることにより、左右の側板２と棚板３の両側部10との間に挿入部11を挿入先端部の薄い部分から容易に挿入することができる。
【００５９】
また、左右前後の抜止め体12の挿入部11は挿入先端部と反対側部位置に突部26をそれぞれ有することにより、左右の側板２と棚板３の両側部10との間に挿入部11をそれぞれ挿入することにより、これら挿入部11の下部の突部26が左右の側板２と棚板３の両側部10との間にそれぞれ圧着される。
【００６０】
また、左右の側板の内面部２と棚板３の両側部10との間に挿入部11をそれぞれ挿入するとき、左右前後の棚板支持体４の嵌合部７に棚板３の左右前後の端部６がそれぞれ嵌合されていることにより、挿入部11にて棚板３が押し上げられることがなく、左右の側板２と棚板３の両側部10との間に左右前後の抜止め体12の挿入部11をそれぞれ確実に挿入することができる。
【００６１】
さらに、左右前後の抜止め体12を棚板支持体４の支持部５の下側にそれぞれ止着するとき、一方の係合突部27を他方の係止孔28に圧入することにより、左右前後の抜止め体12が棚板支持体４の下側にそれぞれ確実に止着される。
【００６２】
そして、左右前後の棚板支持体４の下側に止着されたそれぞれの抜止め体12にて挿入部11が左右の側板２と棚板３の両側部10との間に挿入した状態にそれぞれ確実に保持され、これら挿入部11にて棚板３が左右方向に移動することなく左右の側板２に確実に支持される。
【００６３】
また、左右前後の抜止め体12の挿入部11にて棚板３が左右方向に移動することなく支持されることにより、これら挿入部11を設けた抜止め体12にて棚板支持体４がそれぞれ移動することなく支持され、これら棚板支持体４が支持ピン８から外れたり、これら支持ピン８が左右の側板２から外れることを確実に防止できる。
【００６４】
したがって、左右の側板２に棚板３を簡単にかつ確実に支持させることができ、家具の輸送中の振動・衝撃等で、左右の側板２から棚板３が落下したり、棚板３の両側部が側板２の内面部に衝突することがなく、棚板３の両側部または側板２の内面部に傷が付くことを確実に防止できる。
【００６５】
また、左右前後の棚板支持体４の下側から抜止め体12を操作部23の操作にて一方の係合突部27を他方の係止孔28から外すことにより、左右の側板２と棚板３の両側部10との間から抜止め体12の挿入部11がそれぞれ簡単に引き抜かれる。
【００６６】
つぎに、前記実施の形態では、側板２と棚板３の側部10との間に挿入される挿入部11を有する抜止め体12は、棚板支持体４の下側に着脱可能に止着する構成について説明したが、この構成に限らず、挿入部11を有する抜止め体12は棚板支持体４の端面側に着脱可能に止着する構成としてもよい。
【００６７】
この実施の形態の場合は、たとえば、図１４及び図１５に示すように、抜止め体12は、折り曲げ可能な連結部21にて棚板支持体４の端面支持板15の左右方向一側端部に連結されている。この抜止め体12は、前記棚板支持体４の端面側である前記端面支持板15の正面に当接する当接板22を有し、この当接板22の左右方向の一側端部に前記側板２と棚板３の側部10との間に挿入される挿入部11が前方に向かって一体に突設されている。
【００６８】
そして、前記連結部21は、前記端面支持板15の左右方向の一側端部と前記当接板22の左右方向の他側端部とを一連に連結した連結片24にて形成され、この連結片24は前記端面支持板15と当接板22との板厚より薄い板厚で折り曲げ可能に形成されている。
【００６９】
また、前記端面支持板15の正面部に係合突部27が形成されている。また、前記当接板22に前記係合突部27を着脱可能に係止する係止孔28が形成されている。さらに、前記挿入部11は、前記側板２と棚板３の側部10との間に挿入するときの挿入先端部が薄く形成され、この挿入先端部と反対側部位置に突部26が形成されている。
【００７０】
そして、前記棚板支持体４と、前記抜止め体12と、前記棚板支持体４と抜止め体12とを折り曲げ可能に連結した連結部21とにて前記実施の形態の構成と同様に棚板支持具Ａが構成され、この棚板支持具Ａは合成樹脂にて成型されている。
【００７１】
また、前記棚板支持具Ａは、家具を正面からみて前記棚板３の右側の前端部６に棚板支持体４の嵌合部７を嵌合する右側棚板支持具A1と、家具を正面からみて前記棚板３の左側の前端部６に棚板支持体４の嵌合部７を嵌合する左側棚板支持具A2とを備えている。
【００７２】
前記右側棚板支持具A1と左側棚板支持具A2とは同一の構成で形成されているが、前記棚板３の右側の前端部６に嵌合する前記右側棚板支持具A1は、前記棚板支持体４の支持ピン８及び前記抜止め体12の挿入部11が家具を正面からみて棚板支持体４の右側端に配設した構成となっている。また、前記棚板３の左側の前端部６に嵌合する前記左側棚板支持具A2は、前記棚板支持体４の支持ピン８及び前記抜止め体12の挿入部11が家具を正面からみて棚板支持体４の左側端にそれぞれ配設した構成となっている。
【００７３】
その他の構成については前記実施の形態の構成と同一であるから前記実施の形態と同一の構成については前記実施の形態の説明に用いた符号を記入してその説明を省略する。
【００７４】
つぎに、前記図１４及び図１５に示す実施の形態の作用を説明する。
【００７５】
この実施の形態の場合も前記実施の形態の場合と同様に家具31を正面からみて、棚板３の右側前端部６に右側棚板支持具A1の棚板支持体４の嵌合部７をそれぞれ嵌合することにより、この棚板３の右側前端部６の下側に右側棚板支持具A1の棚板支持体４の支持部５がそれぞれ当接される。
【００７６】
また、家具31を正面からみて、棚板３の左側前端部６に左側棚板支持具A2の棚板支持体４の嵌合部７をそれぞれ嵌合することにより、この棚板３の左側前端部６の下側に左側棚板支持具A2の棚板支持体４の支持部５がそれぞれ当接される。
【００７７】
また、棚板３の左右前端部に嵌合した左右の棚板支持具A1，A2の棚板支持体４の支持ピン８を左右の側板２に形成したピン挿入孔34内にそれぞれ挿入して取り付け、これら支持ピン８にて左右の側板２の前端側に棚板３の前端側左右をそれぞれ支持させる。また、左右の側板２の後端側に設けたローラなどの支持具にて棚板３の後端側左右をそれぞれ支持させる。
【００７８】
そして、この状態で、左右の棚板支持体４に連結された連結部21から抜止め体12をそれぞれ棚板支持体４の端面支持板15の正面に向かって折り曲げるとともに、これら抜止め体12の挿入部11を、図１４に示すように、左右の側板２と棚板３の両側部10との間にそれぞれ挿入することにより、左右の抜止め体12の当接板22が棚板支持体４の端面支持板15の正面にそれぞれの係合突部27と係止孔28との係合により止着される。
【００７９】
この際、抜止め体12の挿入部11及び係止孔28と棚板支持体４の係合突部27とが家具31を正面からみて抜止め体12及び棚板支持体４の正面に位置することにより、左右の側板２の内面部と棚板３の両側部10との間に挿入部12を容易に挿入でき、抜止め体12の係止孔28内に端面支持板15の係合突部27を家具31の正面から押し込むことにより、係止孔28内に係合突部27を簡単に止着させることができる。
【００８０】
つぎに、前記各実施の形態では、係合突部27は棚板支持体４に形成し、この係合突部27を着脱可能に係止する係止孔28は抜止め体12に形成する構成について説明したが、この構成に限らず、係合突部27は抜止め体12に形成し、この係合突部27を着脱可能に係止する係止孔28は棚板支持体４に形成する構成としてもよく、したがって、棚板支持体４と抜止め体12との一方に係合突部27が形成され、他方に前記係合突部27を着脱可能に係止する係止孔28が形成されている構成であればよい。
【００８１】
また、前記各実施の形態では、抜止め体12は折り曲げ可能な連結部21にて棚板支持体４に連結され、前記折り曲げ可能な連結部21は、前記抜止め体12と棚板支持体４とを一連に連結した薄い板厚の連結片24にて形成する構成について説明したが、この構成に限らず、折り曲げ可能な連結部21は肉薄ヒンジ等のヒンジにて連結する構成であってもよい。
【００８２】
さらに、前記各実施の形態では、抜止め体12は折り曲げ可能な連結部21にて棚板支持体４に連結する構成について説明したが、この構成に限らず、抜止め体12は連結部21にて棚板支持体４に連結することなく棚板支持体４とは別体に形成する構成であってもよい。
【００８３】
そして、別体に形成した抜止め体12と棚板支持体４とは合成樹脂にて形成してもよく、金属にて形成してもよい。
【００８４】
また、前記図１乃至図１３に示す実施の形態では、左右の側板２の間に棚板３を支持させるとき、家具31を正面からみて、棚板３の右側前後の端部６に右側棚板支持具A1の棚板支持体４の嵌合部７をそれぞれ嵌合し、棚板３の左側前後の端部６に左側棚板支持具A2の棚板支持体４の嵌合部７をそれぞれ嵌合する構成について説明したが、この構成に限らず、棚板３の前端部６の右側に右側棚板支持具A1の棚板支持体４の嵌合部７を嵌合し、棚板３の前端部６の左側に左側棚板支持具A2の棚板支持体４の嵌合部７を嵌合して、この左右の棚板支持具A1，A2にて左右の側板２の前部間に棚板３の左右前端部６をそれぞれ支持させ、この棚板３の左右後端端部６は、左右の側板２の後端側に設けたローラ等の支持具にてそれぞれ支持させるようにしてもよい。
【００８５】
さらに、前記各実施の形態では、支持ピン８は棚板支持体４の取付部９の一側端部に突設した状態で、この棚板支持体４を側板２の内面部に向かって移動して支持ピン８を側板２のピン挿入孔34内に挿入して取り付ける構成ついて説明したが、この構成に限らず、支持ピン８は棚板支持体４の取付部９の一側端部に突設した状態で支持ピン８を側板２のピン挿入孔34内に挿入して取り付ける構成であってもよい。
【００８６】
なお、支持ピン８はピン挿入孔17の開口縁部に当接するフランジ19を有しない一直線状のピンにて形成してもよく、この際、棚板支持体４の取付部９及び左右の側板２にピン抜け止め部をそれぞれ形成することにより、支持ピン８の使い勝手を向上できる。
【００８７】
【発明の効果】
請求項１の発明によれば、側板と棚板の側部との間に抜止め体の挿入部を挿入することにより、この挿入部にて棚板が左右方向に移動することを確実に防止でき、家具の輸送中の振動・衝撃等で、側板から棚板が落下したり、棚板の側部が側板の内面部に衝突することがなく、棚板の側部または側板の内面部に傷を付けることを確実に防止できる。
【００８８】
また、側板と棚板の側部との間に挿入した挿入部を有する抜止め体を棚板支持体に止着することにより、側板と棚板の側部との間に挿入した挿入部の挿入状態を確実に保持できる。
【００８９】
さらに、棚板支持体に挿入部を有する抜止め体を着脱可能としたので、必要に応じて棚板支持体から抜止め体を外すことにより側板と棚板の側部との間から挿入部を引き抜くことができる。
【００９０】
請求項２の発明によれば、連結部を折り曲げることにより抜止め体を棚板支持体に確実に止着でき、抜止め体が紛失することを防止でき、棚板支持対の管理が容易である。
【００９１】
請求項３の発明によれば、側板と棚板の側端部との間に挿入部を挿入先端部の薄い部分から容易に挿入することができる。
【００９２】
請求項４の発明によれば、側板と棚板の側部との間に挿入部を挿入圧着でき、この挿入部にて棚板が左右方向に移動することなく棚板を更に確実に支持でき、棚板の側部が側板の内面部に衝突することを更に確実に防止できる。
【００９３】
請求項５の発明によれば、抜止め体を棚板支持体に確実に止着でき、この抜止め体の挿入部を側板と棚板の側部との間に挿入した状態に確実に保持でき、棚板支持体に抜止め体を着脱可能に止着する構成が簡単で製作が容易である。
【図面の簡単な説明】
【図１】本発明の一実施の形態を示す棚板支持装置を示す斜視図である。
【図２】同上棚板支持具の側面図である。
【図３】同上背面図である。
【図４】同上正面図である。
【図５】図２のａ〜ａ線部の断面図である。
【図６】図２のｂ〜ｂ線部の断面図である。
【図７】同上右側棚板支持具の斜視図である。
【図８】同上左側棚板支持具の斜視図である。
【図９】家具の一部を切り欠いた斜視図である。
【図１０】同上棚板に右側棚板支持具及び左側棚板支持具を嵌合した状態を示す説明図である。
【図１１】同上一部の拡大側面図である。
【図１２】同上棚板支持体の下側に抜止め体を止着した状態を示す拡大側面図である。
【図１３】同上側板に棚板を支持した状態を示す拡大断面図である。
【図１４】他の実施の形態を示す棚板支持装置の斜視図である。
【図１５】同上棚板支持体の斜視図である。
【図１６】従来の棚板支持装置を示す説明図である。
【符号の説明】
１    棚板支持装置
２    側板
３    棚板
４    棚板支持体
５    支持部
６    端部
７    嵌合部
８    支持ピン
９    取付部
10    側部
11    挿入部
12    抜止め体
21    連結部
26    突部
27    係合突部
28    係止孔
【図１】
0004231198.tif 000002
【図２】
0004231198.tif 000003
【図３】
0004231198.tif 000004
【図４】
0004231198.tif 000005
【図５】
0004231198.tif 000006
【図６】
0004231198.tif 000007
【図７】
0004231198.tif 000008
【図８】
0004231198.tif 000009
【図９】
0004231198.tif 000010
【図１０】
0004231198.tif 000011
【図１１】
0004231198.tif 000012
【図１２】
0004231198.tif 000013
【図１３】
0004231198.tif 000014
【図１４】
0004231198.tif 000015
【図１５】
0004231198.tif 000016
【図１６】
0004231198.tif 000017